(57)【要約】【課題】被写体を最適な条件で観察する上で有利なビデオマイクロスコープを提供する。【解決手段】ビデオマイクロスコープ１００の照明部２０は、基板２２０２と、反射ケース３０と、レンズケース３２とを備えている。複数の光源２２は基板２２０２に取着された複数の発光ダイオードで構成されている。各光源２２は開口２４１４を介して反射ケース３０の反射室２４に一つずつ収容され、光源２２から発せられた照明光が下方の載置台１０に向けて反射されるように構成されている。レンズケース３２の上部に拡散板２６が配設され、レンズケース３２の下部にフレネルレンズ２８が配設されている。【選択図】図５
2007028133.tif 000002
【特許請求の範囲】
【請求項１】
載置台の上方に照明部とカメラとが配置されたビデオマイクロスコープであって、
前記照明部は、下方に向けて照明光を照射するように互いに間隔をおいて配置された複数の光源と、
前記光源の下方に配置され前記光源から発せられた照明光を拡散する拡散板と、
前記複数の光源の点滅を個別に制御可能な制御手段とを備え、
前記照明部に前記光源から発せられた照明光を下方に反射させる下方に開放状の複数の反射室が設けられ、
前記複数の光源はそれぞれ前記反射室に収容されている、
ことを特徴とするビデオマイクロスコープ。
【請求項２】
前記拡散板の下方に前記拡散板で拡散された照明光を収束するフレネルレンズが配設されていることを特徴とする請求項１記載のビデオマイクロスコープ。
【請求項３】
前記複数の光源は前記載置台と平行する平面上で単一の円周上に周方向に間隔をおいて配置されていることを特徴とする請求項１記載のビデオマイクロスコープ。
【請求項４】
前記載置台の上方に該載置台にその下面を臨ませて基板が配置され、前記複数の光源は前記基板の下面に取着された複数の発光ダイオードで構成され、前記複数の反射室を有する反射ケースが設けられ、前記基板の下面に前記反射ケースが取着されることで前記複数の光源はそれぞれ前記反射室に収容されていることを特徴とする請求項１記載のビデオマイクロスコープ。
【請求項５】
前記載置台の上方に該載置台にその下面を臨ませて基板が配置され、前記複数の光源は前記基板の下面に取着された複数の発光ダイオードで構成され、前記複数の反射室を有する反射ケースが設けられ、前記基板の下面に前記反射ケースが取着されことで前記複数の光源はそれぞれ前記反射室に収容され、前記反射ケースの下部にレンズケースが取着され、前記拡散板は前記レンズケースの上部に配設され、前記フレネルレンズは前記レンズケースの下部に配設されていることを特徴とする請求項２記載のビデオマイクロスコープ。
【請求項６】
前記拡散板は、その外周部が前記反射ケースの下部外周部と前記レンズケースの上部外周部との間で挟持されていることを特徴とする請求項５記載のビデオマイクロスコープ。
【請求項７】
前記載置台の上方に該載置台にその下面を臨ませて基板が配置され、前記複数の光源は前記基板の下面で単一の円周上に周方向に間隔をおいて配置された複数の発光ダイオードで構成され、前記複数の反射室を有する反射ケースが設けられ、前記基板の下面に前記反射ケースが取着されことで前記複数の光源はそれぞれ前記反射室に収容され、前記反射ケースの下部にレンズケースが取着され、前記拡散板は前記レンズケースの上部に配設され、前記フレネルレンズは前記レンズケースの下部に配設され、前記基板あるいは基板の上方で前記複数の光源の中心箇所に、レーザビームを照射して前記複数の光源により照明する照明領域の中心点にレーザスポットを形成するレーザポインターが配設され、前記複数の反射室の中心に位置する前記反射ケース箇所に、前記レーザビームを通過させる孔が形成され、前記孔の周囲の箇所はボス部として形成され、前記ボス部は前記反射室の下面から下方に突出され、前記拡散板および前記フレネルレンズの中心に孔がそれぞれ形成され、前記ボス部は前記拡散板および前記フレネルレンズの孔に挿通され、前記フレネルレンズはその外周部が前記レンズケースの載置部に載置され、前記フレネルレンズの孔の周囲の部分の上面が前記ボス部の先部の下向きの環状面に係止されていることを特徴とする請求項２記載のビデオマイクロスコープ。
【請求項８】
載置台からアームが突設され、前記照明部は前記アームの上部に設けられ、前記基板は前記アームの上部に取着され、前記反射ケースの外周部はねじにより前記基板に取着され、前記レンズケースの外周部は前記反射ケースの外周部にねじにより取着されていることを特徴とする請求項５記載のビデオマイクロスコープ。
【請求項９】
載置台からアームが突設され、前記照明部は前記アームの上部に設けられ、前記カメラは前記アームの上部に旋回可能に設けられていることを特徴とする請求項１記載のビデオマイクロスコープ。
【発明の詳細な説明】
【技術分野】
【０００１】
本発明はビデオマイクロスコープに関する。
【背景技術】
【０００２】
載置台の上方に照明部とカメラとが配置されたビデオマイクロスコープがある。
このようなビデオマイクロスコープは、前記載置台上に載置された被写体に対して前記照明部で照明光を照射するとともに、前記被写体を前記カメラで撮像して得た画像信号をディスプレイに供給することで、ディスプレイに被写体の画像を拡大して表示させている。
前記被写体としては、例えば、電子部品が半田付けされたプリント基板などがあり、ビデオマイクロスコープを用いることで電子部品の半田付け箇所をディスプレイに表示させ、半田の濡れ性などを観察している。
従来、このようなビデオマイクロスコープの照明部として、例えば、円環状に形成された冷陰極管を用い、載置台に載置された被写体に照明光を照射するものが知られている。
また、複数の発光ダイオード（ＬＥＤ）をカメラの撮影光学系の鏡筒に一体的に配設し、それら発光ダイオードを撮影光学系の光軸を中心とする円周上に並べて配置したものが知られている（特許文献１参照）。
【特許文献１】特開２０００−２３０２６号公報
【発明の開示】
【発明が解決しようとする課題】
【０００３】
しかしながら、前者の従来技術では、被写体が複雑な凹凸形状をしているような場合には、被写体の一部に影が生じることが避けられず、被写体を最適な条件で観察する上で不利があった。
また、後者の従来技術では、複数の発光ダイオードから単に照明光が照射される構成であり、全体としての照明光が方向性を有していることから、やはり被写体の一部に影が生じることが避けられず、被写体を最適な条件で観察する上で不利があった。
本発明は、このような事情に鑑みなされたもので、その目的は被写体を最適な条件で観察する上で有利なビデオマイクロスコープを提供することにある。
【課題を解決するための手段】
【０００４】
上記目的を達成するために、本発明は、載置台の上方に照明部とカメラとが配置されたビデオマイクロスコープであって、前記照明部は、下方に向けて照明光を照射するように互いに間隔をおいて配置された複数の光源と、前記光源の下方に配置され前記光源から発せられた照明光を拡散する拡散板と、前記複数の光源の点滅を個別に制御可能な制御手段とを備え、前記照明部に前記光源から発せられた照明光を下方に反射させる下方に開放状の複数の反射室が設けられ、前記複数の光源はそれぞれ前記反射室に収容されていることを特徴とする。
【発明の効果】
【０００５】
本発明によれば、複数の光源を個別に点滅させることで、照明部から被写体に対して照射される照明光を均一に分布させつつ照明光の照射箇所および照射方向を変化させることができ、光源から発せられた照明光は、当該光源が収容された反射室の下方に効率的に導かれるため、限られた被写体の部分を効果的に明るく照明することができ、被写体を最適な条件で観察する上できわめて有利となる。
【発明を実施するための最良の形態】
【０００６】
（第１の実施の形態）
以下、本発明による画像表示装置の実施の形態を図面に基づいて詳細に説明する。
図１は第１の実施の形態におけるビデオマイクロスコープ１００の斜視図である。
図２（Ａ）はビデオマイクロスコープ１００の正面図、（Ｂ）はビデオマイクロスコープ１００の側面図である。
【０００７】
図１、図２に示すように、ビデオマイクロスコープ１００は、載置台１０と、照明部２０と、カメラ４０とを含んでいる。
載置台１０は、前後長さと、左右幅と、上下厚さを有する矩形板状を呈し、その上面に被写体が載置される平坦な矩形状の平面からなる載置面１２が形成されている。
載置台１０の後縁の幅方向中央からアーム１４が突設され、アーム１４の上部１４０２は載置台１０の載置面１２と間隔をおいて対向するように前方に延在され、アーム１４の上部１４０２の先端１４０４は載置台１０の前縁の上方箇所に位置している。
カメラ４０は、アーム１４の先端１４０４に載置面１２と平行な面内で旋回可能（本実施の形態ではアーム１４の幅方向の中心に位置した箇所から±６０度の範囲（合計１２０度の範囲）で旋回可能）に設けられ、載置面１２に向けて配設されている。
【０００８】
照明部２０は、アーム１４の上部１４０２が載置面１２に臨む箇所に設けられ、下方に向けて（載置面１２に向けて）照明光を照射するように構成されている。
照明部２０は、複数の光源２２と、複数の反射室２４と、拡散板２６と、フレネルレンズ２８と、制御手段５２（図３参照）とを備えている。
【０００９】
図４は照明部２０の分解斜視図、図５は照明部２０の一部断面正面図である。
図６は発光ダイオードが実装された基板の底面図、図７は図６のＡ矢視図である。
複数の光源２２は載置面１２に平行する平面上で単一の円周上に周方向に等間隔をおいて配置されている。
具体的に説明すると、図４、図５に示すように、載置台１０の上方に該載置台１０にその下面を臨ませて基板２２０２が配置されている。
図６、図７に示すように、基板２２０２は、円径部２２０４と、円径部２２０４の外周から突出する取り付け片２２０６とで構成されている。
【００１０】
円径部２２０４の外周の２箇所と取り付け片２２０６の先部の２箇所に、基板２２０２をアーム１４に取り付けるためのねじ挿通孔２２０８が形成されている。
また、円径部２２０４の外周の４箇所には、後述する反射ケース３０を基板２２０２に取り付けるためのねじ孔２２１０が形成されている。
また、円径部２２０４の中心には中心孔２２１１が形成されている。なお、基板２２０２の上方には不図示の別の基板が設けられ、この基板には、照明部２０により照明する照明領域の中心点を簡単に判別できるように被写体にレーザビームを照射してその照射点にレーザスポットを形成し点滅させるレーザポインターが配設され、このレーザポインターからのレーザビームは中心孔２２１１を通過する。
図６、図７に示すように、複数の光源２２は基板２２０２の下面２２１２に取着された複数の発光ダイオード（本実施の形態では８個の発光ダイオード）で構成され、取付片２２０６に設けられたコネクタ２２２０と複数の発光ダイオードとは不図示のプリント配線で電気的に接続されている。
本実施の形態では、基板２２０２は、光源２２の熱を放熱しやすいように熱伝導率の高い材料、例えば、アルミニウム合金で構成されている。
【００１１】
図８は反射ケースの平面図、図９は反射ケースの側面図、図１０は反射ケースの底面図、図１１は図８のＡＡ線断面図、図１２は図８のＢＢ線断面図である。
図４、図５に示すように、基板２２０２の下面２２１２には反射ケース３０、レンズケース３２が取着されている。
図８乃至図１２に示すように、複数の反射室２４は反射ケース３０に設けられ、反射ケース３０は合成樹脂製である。
図８、図１０に示すように、反射ケース３０は、平面視円形の反射室部３００２と、反射室部３００２の外周に設けられた環板部３００４とを備えている。
図９に示すように、反射室部３００２の下部は環板部３００４よりも下方に位置している。
図１０に示すように、反射室部３００２には、複数の反射室２４が光源２２の配置構造に対応して円周上に周方向に隣接して設けられている。
図１１、図１２に示すように、各反射室２４は、上面３０１０と、上面３０１０の周囲から下方に延在する側面３０１２とを有し下方に開放状に形成されている。
上面３０１０には、図８、図１０、図１１に示すように、光源２２を収容する開口３０１４が形成されている。
【００１２】
図１０に示すように、反射室部３００２を下方から見た場合に、反射室部３００２の中心から放射方向に延在するように各反射室２４を仕切る仕切り壁３０１６が形成されている。
また、図８、図１０に示すように、反射室部３００２の中央には、上下に貫通する中心孔３０１８が形成されている。
図９、図１０に示すように、中心孔３０１８の周囲はボス部３０２０として形成されている。ボス部３０２０は反射室部３００２の下面よりも下方に位置し、ボス部３０２０の先部には、図５に示すように、下向きの環状面３０３０が形成されている。
図８、図１２に示すように、環板部３００４の上面には、周方向に等間隔をおいて４つのフレーム取り付け用ボス部３０２２と、フレーム取り付け用ボス部３０２２よりも低い高さの４つのレンズケース取り付け用ボス部３０２４とが交互に設けられている。
【００１３】
図１３はレンズケースの平面図、図１４は図１３のＡ矢視一部断面図である。
レンズケース３２は、拡散板２６およびフレネルレンズ２８が配置される筒状の収容室部３２０２と、収容室部３２０２の外周部から突設された化粧板部３２１０とを備えている。
収容室部３２０２の上端には、半径方向外方に広がる環板部３２０４が設けられ、収容室部３２０２の内部上端には拡散板載置部３２０６が設けられ、収容室部３２０２の内部下端にはフレネルレンズ載置部３２０８が設けられている。
環板部３２０４の周方向に間隔をおいた４箇所にはねじ挿通孔３２１２が形成されている。
【００１４】
図１５に示すように、拡散板２６は、平面視円形を呈しレンズケース３２の拡散板載置部３２０６に載置される大きさの外径で形成され、均一な厚さで形成されている。
拡散板２６の中心には、反射ケース３０のボス部３０２０が挿通できる大きさの内径で形成された中心孔２６０２が形成されている。
拡散板２６は、光源２２から発せられた光が拡散板２６を厚さ方向に透過することで光の分布を均一に拡散させる機能を有している。
【００１５】
図１６に示すように、フレネルレンズ２８は、平面視円形を呈しレンズケース３２のフレネルレンズ載置部３２０８に載置される大きさの外径で形成されている。
フレネルレンズ２８の中心には、反射ケース３０のボス部３０２０が挿通できる大きさの内径で形成された中心孔２８０２が形成されている。
フレネルレンズ２８は、光源２２から発せられ拡散板２６で拡散された光を収束する機能を有している。
なお、レーザポインターからのレーザビームは、中心孔２２１１、中心孔３０１８を通って被写体に照射され、その照射点にレーザスポットを形成し点滅させる。
【００１６】
次に、照明部２０の組み立てについて説明する。
基板２２０２は、図４に示すように、ねじ挿通孔２２０８に挿通されたねじＮ１により、アーム１４の上部１４０２の内部に組み込まれたフレーム１４１０に取着される。
次に、図４、図５に示すように、フレーム取り付け用ボス部３０２２の上端面を基板２２０２の下面２２１２に合わせ、フレーム取り付け用ボス部３０２２に挿通したねじＮ２を基板２２０２のねじ孔２２１０に螺合することで反射ケース３０は基板２２０２の下面に取着される。
この状態で複数の光源２２は開口２４１４を介して反射室２４に一つずつ収容され、反射室２４に収容された光源２２から発せられた光は上面２４１０および側面２４１２により下方に反射される。
次に、図４、図５に示すように、レンズケース３２のフレネルレンズ載置部３２０８にフレネルレンズ２８を載置するとともに、拡散板載置部３２０６に拡散板２６を載置する。
【００１７】
そして、レンズケース３２の収容室部３２０２の上部に反射ケース３０の反射室部３００２の下部を入れ、また、拡散板２６とフレネルレンズ２８の中心孔２６０２、２８０２に反射ケース３０のボス部３０２０を挿通させつつ、レンズケース３２の環板部３２０４の上面を反射ケース３０の環板部３００４の下面に合わせる。
その状態で、レンズケース３２のねじ挿通孔３２１２に挿通したＮ３を反射ケース３０のレンズケース取り付け用ボス部３０２４に螺合することでレンズケース３２は反射ケース３０に取着される。
この状態で、拡散板２６はその外周部が、レンズケース３２の拡散板載置部３２０６と反射ケース３０の反射室部３００２の下部とにより挟持され、レンズケース３２の上部に配設されることになる。
また、フレネルレンズ２８は、その外周部がレンズケース３２のフレネルレンズ載置部３２０８に載置され、フレネルレンズ２８の中心孔２８０２の周囲の部分の上面がボス部３０２０の先部の下向きの環状面３０３０に係止され、フレネルレンズ２８はレンズケース３２の下部に配設されることになる。
これにより照明部２０が組み立てられる。
【００１８】
次に、図３を参照してビデオマイクロスコープ１００の制御系について説明する。
図３はビデオマイクロスコープ１００の構成を示すブロック図である。
ビデオマイクロスコープ１００には、照明部２０、カメラ４０に加えて、ディスプレイ５０、制御手段５２、操作手段５４が設けられている。
カメラ４０はレンズ鏡筒４２と信号処理部４８を有し、レンズ鏡筒４２には、載置面１２上に載置された被写体２の像を捉える撮影光学系４４と、撮影光学系４４によって導かれた被写体像を撮像する撮像素子４６が設けられている。
信号処理部４８は、撮像素子４６によって生成された撮像信号に対して信号処理を行って映像信号を生成し、その映像信号をディスプレイ５０に供給するように構成されている。
ディスプレイ５０は、信号処理部４８から供給された映像信号に基づいて被写体の画像を表示するものであり、例えば液晶表示装置で構成されている。
操作手段５４は、ライトボリュームスイッチ５４０２（図１参照）とライトパターンスイッチ５４０４（図１参照）とを含んでいる。
制御手段５２は、ライトボリュームスイッチ５４０２の操作に応じて照明部２０の光源２２全体を一括してオンオフするとともに光源２２全体の光量の制御を行い、ライトパターンスイッチ５４０４の操作に応じて照明部２０の各光源２２の点滅を個別に制御するものである。
なお、レーザスポットを点滅させるレーザポインターも制御手段５２に接続され、制御手段５２により制御される。
また、ディスプレイ５０は、ビデオマイクロスコープ１００と離れた箇所に配置してもよく、あるいは、アーム１４の上部１４０２の上面に着脱可能に取り付けるなど任意である。
【００１９】
次に、ビデオマイクロスコープ１００の使用方法について説明する。
まず、載置台１０の載置面１２上に観察すべき被写体２（図３参照）を載置する。
次いで、ライトボリュームスイッチ５４０２を操作して全ての光源２２を点灯させ、照明光が適当な光量となるように調整する。
これにより、全ての光源２２から発せられた照明光は、反射室２４の上面２４１０および側面２４１２により下方に反射され、拡散板２６で均一な分布となるように拡散された後、フレネルレンズ２８で収束され、載置面１２上に向かって照射される。
これにより被写体２は照明され、カメラ４０によって撮影された被写体２の画像がディスプレイ５０に表示される。
【００２０】
被写体２の画像を視認して、観察すべき被写体２の部分に影が生じている場合には、ライトパターンスイッチ５４０４を操作する。
ライトパターンスイッチ５４０４が操作されると、制御手段５２は、例えば、図１７（Ａ）に示すように、光源２２のうち１つの光源２２のみを点灯させ残りの全てをハッチングで示すように滅灯させる。
これにより、被写体２には、１つの光源２２からの照明光のみが照射される。
すなわち、１つの光源２２から発せられた照明光は、その光源２２を収容する１つの反射室２４の上面２４１０および側面２４１２により下方に反射され、その１つの反射室２４に臨む拡散板２６の箇所で拡散された後、その拡散板２６に臨むフレネルレンズ２８の箇所で収束され、載置面１２上に向かって照射される。
したがって、点灯している光源２２からの照明光で照明された被写体２の部分のみがディスプレイ５０に明るく表示されることになる。
【００２１】
所望の被写体２の部分が明るく照明されていない場合には、ライトパターンスイッチ５４０４を再度操作する。すると、制御手段５２は、例えば、今まで点灯されていた光源２２を滅灯するとともにその隣の光源２２のみを点灯させる。
これにより、被写体２を照射する光源２２の位置が１つ分周方向に移動するため、照明方向が変わり明るく照明される被写体２の部分の位置も移動されることになる。
このようにライトパターンスイッチ５４０４を操作する毎に点灯する光源２２の位置が１つずつ周方向に移動される。
したがって、使用者は、被写体２の所望の部分が明るく照明されディスプレイ５０に明瞭に表示されるまでライトパターンスイッチ５４０４の操作を繰り返せばよい。
また、必要に応じてカメラ４０を旋回することで被写体２の所望の部分をより適切に観察することができる。
なお、上記の例では、８個の光源２２のうち１つの光源２２のみを配列順に１つずつ点滅させた場合について説明したが、例えば、図１７（Ｂ）に示すように、２つずつ点滅させてもよい。
この場合には、図１８（Ａ）乃至（Ｄ）に示すように、反射室２４の配列方向に従って照明部２０から被写体に対して照射される照明光の照射箇所Ｓおよび照射方向が変化することになる。なお、図１８（Ｅ）は全ての光源２２が点灯した状態を示す。
また、光源２２の点滅は、例えば、図１８（Ｃ）に示すように３つずつ点滅させてもよく、あるいは、４つ以上を順に点滅させるようにしてもよい。
【００２２】
本実施の形態によれば、複数の光源２２を一つずつ収容し光源２２から発せられた照明光を下方に反射させる複数の反射室２４を設け、複数の光源２２の下方に拡散板２６を配置し、制御手段５２により複数の光源２２の点滅を個別に制御するようにしたので、照明部２０から被写体２に対して照射される光を均一に分布させつつ光の照射箇所Ｓおよび照射方向を変化させることができる。
したがって、複数の光源２２を個別に点滅させることで照明部２０から被写体２に対して照射される照明光の照射箇所Ｓおよび照射方向を変化させることができることは無論のこと、光源２２から発せられた照明光は、当該光源２２が収容された反射室２４の下方に効率的に導かれるため、限られた被写体２の部分を効果的に明るく照明することができ、被写体２を最適な条件で観察する上できわめて有利となる。
例えば、被写体が複雑な凹凸形状をしているような場合、被写体の所望の箇所が影になって暗くなり明瞭に観察することができないとき、複数の光源２２を適宜点滅させることで前記陰になっていた被写体の箇所を明るく照明させることで最適な条件で観察を行うことができる。
具体的には、大きさが異なる様々な電子部品が半田付けされたプリント基板を観察する場合、チップ部品のように小さな電子部品の半田付け箇所が電解コンデンサなどのような大きな電子部品の影になって暗くなり明瞭に観察することができないことがある。このようなときに、複数の光源２２を適宜点滅させることで前記小さな電子部品の半田付け箇所のみを明るく照明させることで最適な条件で観察を行うことができ、半田の濡れ性を確実に調べることが可能となる。
また、例えば、被写体の所望の箇所が半田付け部分のように照明部２０からの照明光で反射し、その反射光がカメラ４０に入射して観察がしずらい場合であっても、複数の光源２２を適宜点滅させることで前記所望の箇所の反射光の方向や位置を任意に調整できるため、最適な条件で観察を行う上で有利となる。
また、被写体として金属や樹脂、ガラスなどの材料の表面の傷を観察する場合、限られた方向からの照明では観察しくい傷も、複数の光源２２を適宜点滅させることで前記表面を照射する照明光の方向を調整できるため、最適な条件で観察を行う上で有利となる。
【００２３】
また、本実施の形態では、拡散板２６で拡散された光をフレネルレンズ２８で収束させる構成としたため、被写体の部分に効率的に光を照射して明るく照明でき、被写体を最適な条件で観察する上でより有利となる。
また、本実施の形態では、カメラ４０をアーム１４の上部１４０２に旋回可能に設けたので、被写体２の所望の部分を明るく照明した状態で、カメラ４０を旋回させて前記所望の部分に対するカメラ４０の向きを変化させることができる。
したがって、例えば、所望の箇所とカメラ４０との間に他の部材や部分が位置しているため前記所望の箇所が観察しにくい場合であっても、前記所望の箇所を観察できるようにカメラ４０の向きを変えることができ、前記所望の部分を詳細に観察する上でさらに有利となる。
【００２４】
なお、実施の形態では、複数の光源２２を単一の円周上に配置した場合について説明したが、複数の光源２２は例えば格子状に配置してもよく、複数の光源２２の配置構造は任意である。
また、実施の形態では、反射室２４に光源２２を一つずつ収容した場合について説明したが、反射室２４に複数個ずつ光源を収容するようにしてもよい。
【図面の簡単な説明】
【００２５】
【図１】第１の実施の形態におけるビデオマイクロスコープ１００の斜視図である。
【図２】（Ａ）はビデオマイクロスコープ１００の正面図、（Ｂ）はビデオマイクロスコープ１００の側面図である。
【図３】ビデオマイクロスコープ１００の構成を示すブロック図である。
【図４】照明部２０の分解斜視図である。
【図５】照明部２０の一部断面正面図である。
【図６】発光ダイオードが実装された基板の底面図である。
【図７】図６のＡ矢視図である。
【図８】反射ケースの平面図である。
【図９】反射ケースの側面図である。
【図１０】反射ケースの底面図である。
【図１１】図８のＡＡ線断面図である。
【図１２】図８のＢＢ線断面図である。
【図１３】レンズケースの平面図である。
【図１４】図１３のＡ矢視一部断面図である。
【図１５】拡散板２６の平面図である。
【図１６】フレネルレンズ２８の平面図である。
【図１７】（Ａ）乃至（Ｃ）は光源２２の点滅状態の説明図である。
【図１８】（Ａ）乃至（Ｅ）は光源２２の点滅による照射箇所の変化を示す説明図である。
【符号の説明】
【００２６】
１０……載置台、２０……照明部、２２……光源、２４……反射室、２６……拡散板、４０……カメラ、５２……制御手段、１００……ビデオマイクロスコープ。
【図１】
2007028133.tif 000003
【図２】
2007028133.tif 000004
【図３】
2007028133.tif 000005
【図４】
2007028133.tif 000006
【図５】
2007028133.tif 000007
【図６】
2007028133.tif 000008
【図７】
2007028133.tif 000009
【図８】
2007028133.tif 000010
【図９】
2007028133.tif 000011
【図１０】
2007028133.tif 000012
【図１１】
2007028133.tif 000013
【図１２】
2007028133.tif 000014
【図１３】
2007028133.tif 000015
【図１４】
2007028133.tif 000016
【図１５】
2007028133.tif 000017
【図１６】
2007028133.tif 000018
【図１７】
2007028133.tif 000019
【図１８】
2007028133.tif 000020